(57)【特許請求の範囲】
【請求項１】
スイッチ回路を構成するように備えられた固定端子、及び、前記固定端子を導通状態と非導通状態とに切り換え可能な二つの可動端子と、
前記可動端子の夫々を移動操作自在な二つの操作部材と、
前記固定端子を内装し、かつ、前記操作部材の夫々を検知対象物によって押し込み操作自在に収容するハウジングと、
前記操作部材の夫々を、前記検知対象物による押し込みを解除する押し込み解除操作に連動して前記ハウジングの外方に互いに逆向きに突出移動するように付勢する二つの付勢部材と、
前記固定端子の導通状態又は非導通状態に応じた信号を出力可能な一つの出力部とを有し、
前記二つの操作部材が共に押し込み操作されることにより、前記固定端子が導通状態と非導通状態とのうちの何れか一方の状態に切り換えられ、前記二つの操作部材のうちの少なくとも一方の押し込み解除操作により、前記固定端子が前記一方の状態から他方の状態に切り換えられるように、前記可動端子が前記操作部材の夫々に設けられ、
前記ハウジングは、仕切り壁を内部に設けてある箱状のハウジング本体と、前記ハウジング本体の開口を覆う蓋板部分を備えた蓋体とを有し、
前記操作部材の夫々は、押し込み方向の全長に亘って面一に形成された一側面を有し、前記一側面の夫々を前記仕切り壁の表裏夫々の壁面に接触させて配置され、当該仕切り壁の壁面と、前記蓋板部分の内面と、前記ハウジング本体の底壁内面とに沿って互いに平行にスライド移動自在に収容され、
前記可動端子は前記操作部材の前記底壁内面に対向する側に設けられている移動検知スイッチ。
【発明の詳細な説明】
【技術分野】
【０００１】
本発明は、スイッチ回路を構成するように備えられた固定端子、及び、前記固定端子を導通状態と非導通状態とに切り換え可能な可動端子と、前記可動端子を移動操作自在な操作部材と、前記固定端子を内装し、かつ、前記操作部材を検知対象物によって押し込み操作自在に収容するハウジングと、前記操作部材を、前記検知対象物による押し込みを解除する押し込み解除操作に連動して前記ハウジングの外方に突出移動するように付勢する付勢部材と、前記固定端子の導通状態又は非導通状態に応じた信号を出力可能な出力部とを有し、前記操作部材が押し込み操作されることにより、前記固定端子が導通状態と非導通状態とのうちの何れか一方の状態に切り換えられ、前記操作部材の押し込み解除操作により、前記固定端子が前記一方の状態から他方の状態に切り換えられるように、前記可動端子が設けられている移動検知スイッチに関する。
【背景技術】
【０００２】
上記移動検知スイッチは、例えばパチンコ台などの遊技台において、検知対象物としての前面扉や背面扉が開放（移動）操作されたことを検知するために装備されている。
つまり、特定の扉を閉じることによる操作部材の押し込み操作で可動端子を移動させて、固定端子を導通状態と非導通状態とのうちの何れか一方の状態に切り換えておき、その扉の開放に伴う操作部材の押し込み解除操作による可動端子の移動で固定端子が一方の状態から他方の状態に切り換わって、その他方の状態に応じた信号が出力部から出力されると、特定の扉が開放されたことを検知する。
従来の上記移動検知スイッチは、一つの固定端子と、その固定端子を導通状態と非導通状態とに切り換え可能な一つの可動端子と、その可動端子を移動操作自在な一つの操作部材とが設けられている。
したがって、例えば遊技台において前面扉と背面扉との何れかが開放されたことを検知できるように、前面扉と背面扉の夫々に対応する二個の移動検知スイッチが装備されている（例えば、特許文献１参照）。
【先行技術文献】
【特許文献】
【０００３】
【特許文献１】特開２００８−１８３２５５号公報（段落番号［０１２６］，図１５，図１６）
【発明の概要】
【発明が解決しようとする課題】
【０００４】
このため、移動検知スイッチの取付スペースが大きくなる。また、一個の移動検知スイッチ毎にその固定作業や配線作業を要し、検知スイッチの取付けに手間が掛かるおそれがある。
本発明は上記実情に鑑みてなされたものであって、二つの検知対象物の何れかの移動を検知するにあたって、取付スペースを小さくすることができ、その取付けにも手間が掛かりにくい移動検知スイッチを提供することを目的とする。
【課題を解決するための手段】
【０００５】
本発明による移動検知スイッチの第１特徴構成は、スイッチ回路を構成するように備えられた固定端子、及び、前記固定端子を導通状態と非導通状態とに切り換え可能な二つの可動端子と、前記可動端子の夫々を移動操作自在な二つの操作部材と、前記固定端子を内装し、かつ、前記操作部材の夫々を検知対象物によって押し込み操作自在に収容するハウジングと、前記操作部材の夫々を、前記検知対象物による押し込みを解除する押し込み解
除操作に連動して前記ハウジングの外方に互いに逆向きに突出移動するように付勢する二つの付勢部材と、前記固定端子の導通状態又は非導通状態に応じた信号を出力可能な一つの出力部とを有し、前記二つの操作部材が共に押し込み操作されることにより、前記固定端子が導通状態と非導通状態とのうちの何れか一方の状態に切り換えられ、前記二つの操作部材のうちの少なくとも一方の押し込み解除操作により、前記固定端子が前記一方の状態から他方の状態に切り換えられるように、前記可動端子が前記操作部材の夫々に設けられ、前記ハウジングは、仕切り壁を内部に設けてある箱状のハウジング本体と、前記ハウジング本体の開口を覆う蓋板部分を備えた蓋体とを有し、前記操作部材の夫々は、押し込み方向の全長に亘って面一に形成された一側面を有し、前記一側面の夫々を前記仕切り壁の表裏夫々の壁面に接触させて配置され、当該仕切り壁の壁面と、前記蓋板部分の内面と、前記ハウジング本体の底壁内面とに沿って互いに平行にスライド移動自在に収容され、前記可動端子は前記操作部材の前記底壁内面に対向する側に設けられている点にある。
【０００６】
本構成の移動検知スイッチは、一つの固定端子を導通状態と非導通状態とに切り換え可能な二つの可動端子を有しているので、二つの検知対象物の何れかの移動を検知するにあたって、従来のように二個の可動端子に各別に対応する二個の固定端子を設ける必要がなくなり、スイッチ回路の簡略化を図ってハウジングの小型化を図ることができる。
【０００７】
また、本構成の移動検知スイッチは、可動端子の夫々を移動操作自在な二つの操作部材と、操作部材の夫々を検知対象物によって押し込み操作自在に収容するハウジングと、操作部材の夫々を、検知対象物による押し込みを解除する押し込み解除操作に連動してハウジングの外方に突出移動するように付勢する二つの付勢部材とを有し、二つの操作部材が共に押し込み操作されることにより、固定端子が導通状態と非導通状態とのうちの何れか一方の状態に切り換えられ、二つの操作部材のうちの少なくとも一方の押し込み解除操作により、固定端子が前記一方の状態から他方の状態に切り換えられるように、可動端子が設けられている。
【０００８】
このため、二つの検知対象物による二つの操作部材の夫々の押し込み操作で固定端子を導通状態と非導通状態とのうちの何れか一方の状態に切り換えておき、何れかの検知対象物の移動による少なくとも一方の操作部材の押し込み解除操作で固定端子が一方の状態から他方の状態に切り換えられると、その状態に応じた信号を一つの出力部から出力させて、二つの検知対象物の何れかの移動を検知することができる。
したがって、一つの操作部材の押し込み解除操作で一つの出力部から信号を出力させて、何れかの検知対象物の移動を検知することができるので、スイッチ回路における接続ピンやリード線の数を減らして、スイッチ回路の一層の簡略化とハウジングの一層の小型化とを図ることができる。
【０００９】
また、操作部材の夫々をハウジングの外方に互いに逆向きに突出移動するように付勢してあるので、二つの検知対象物どうしを互いに干渉させることなく、何れかの検知対象物の移動を検知することができる。
【００１０】
さらに、操作部材の夫々は、ハウジングの内部に設けてある仕切り壁を挟んで配置され、当該仕切り壁の表裏夫々の壁面に沿って互いに平行にスライド移動自在に収容されているので、操作部材の夫々をスライド移動方向で互いに対向するように収容する場合に比べて、操作部材の移動方向に沿うハウジングの寸法を小さくすることができる。
【００１１】
したがって、本構成の移動検知スイッチであれば、二つの検知対象物の何れかの移動を検知するにあたって、一つの移動検知スイッチで検知することができると共に、移動検知スイッチの小型化を図って、取付スペースを小さくすることができ、その取付けにも手間が掛かりにくい。
【００１３】
更に、本構成であれば、ハウジング本体の仕切り壁と蓋体の蓋板部分とを活用して、二つの操作部材の移動方向を案内することができるので、ハウジングの寸法を一層小さして、移動検知スイッチの一層の小型化を図ることができる。
【図面の簡単な説明】
【００１４】
【図１】移動検知スイッチを模式的に示す説明図である。
【図２】移動検知スイッチの斜視図である。
【図３】移動検知スイッチの分解斜視図である。
【図４】移動検知スイッチの断面図である。
【図５】可動端子と操作部材を示す斜視図である。
【図６】二つの常閉型接点が共にＯＮの状態を示し、（ａ）は移動検知スイッチの内部を示す平面図、（ｂ）はスイッチ回路の接続状態を示す平面図である。
【図７】一方の常閉型接点がＯＮで、かつ、他方の常閉型接点がＯＦＦの状態を示し、（ａ）は移動検知スイッチの内部を示す平面図、（ｂ）はスイッチ回路の接続状態を示す平面図である。
【図８】第２実施形態の移動検知スイッチを模式的に示す説明図である。
【図９】第２実施形態における二つの常開型接点が共にＯＦＦの状態を示し、（ａ）は移動検知スイッチの内部を示す平面図、（ｂ）はスイッチ回路の接続状態を示す平面図である。
【図１０】第２実施形態における一方の常開型接点がＯＦＦで、かつ、他方の常開型接点がＯＮの状態を示し、（ａ）は移動検知スイッチの内部を示す平面図、（ｂ）はスイッチ回路の接続状態を示す平面図である。
【発明を実施するための形態】
【００１５】
以下に本発明の実施の形態を図面に基づいて説明する。
〔第１実施形態〕
図１〜図７は、本発明による移動検知スイッチを示す。
本実施形態では、図１に示すように、第１固定接点１ａと第２固定接点１ｂの二組の固定接点を直列に備えた一つの固定端子１と、第１固定接点１ａと第２固定接点１ｂの夫々をＯＮ／ＯＦＦ可能な可動接点を備えていて、固定端子１を導通状態と非導通状態とに切り換え可能な第１可動端子２ａと第２可動端子２ｂの二つの可動端子２とを設けて、例えば遊技台における前面扉と背面扉などの二つの検知対象物Ａの夫々による操作部材４（４ａ，４ｂ）の押し込み操作で閉じられる二つの常閉型接点３を備えたスイッチ回路Ｂを構成してある。
【００１６】
スイッチ回路Ｂは、電流計（図示せず）を介して直流電源に接続され、遊技台の前面扉や背面扉の開放などの何れかの検知対象物Ａの移動に伴う少なくとも一方の操作部材４の押し込み解除操作で何れかの常閉型接点３が開いて固定端子１が非導通状態に切り換えられ、その結果、一つの出力部７から出力される非導通状態に応じた信号としての所定レベル未満の電流が検出されると、二つの検知対象物Ａの少なくとも一つの移動（遊技台の前面扉又は背面扉の開放移動）を検知できるように構成してある。
【００１７】
移動検知スイッチは、図２〜図５に示すように、固定端子１に対して摺接移動される可動端子としての第１ブラシ２ａと第２ブラシ２ｂとの二つのブラシと、第１ブラシ２ａと第２ブラシ２ｂの夫々を移動操作自在な操作部材としての第１スライダー４ａと第２スライダー４ｂとの二つの同一形状のスライダー４と、固定端子１を内装し、かつ、第１スライダー４ａと第２スライダー４ｂの夫々を検知対象物Ａによって押し込み操作自在に収容する樹脂製ハウジング５と、第１スライダー４ａと第２スライダー４ｂの夫々を、検知対象物Ａによる押し込みを解除する押し込み解除操作に連動してハウジング５の外方に互いに逆向きに突出移動するように付勢する二つの付勢部材としての第１圧縮コイルスプリング６ａと第２圧縮コイルスプリング６ｂとの二つの圧縮コイルスプリング６と、固定端子１の導通状態又は非導通状態に応じた大きさ（レベル）の電流を信号として出力可能な一つの出力部７とを有している。
【００１８】
したがって、固定端子１の両端部に直流電源が接続されている状態で、第１スライダー４ａと第２スライダー４ｂの夫々が検知対象物Ａによって共に押し込み操作されることにより、第１ブラシ２ａと第２ブラシ２ｂの可動接点の夫々が第１固定接点１ａと第２固定接点１ｂをＯＮ操作して、固定端子１が導通状態に切り換えられた二つの常閉型接点３を有するスイッチ回路Ｂが構成される。
【００１９】
そして、何れかの検知対象物Ａによる少なくとも一方のスライダー４の押し込み解除操作により、いずれかのブラシ２ａ，２ｂの可動接点が固定接点１ａ，１ｂをＯＦＦ操作して常閉型接点３の一つが開かれると、スイッチ回路Ｂに所定レベルの電流が流れなくなり、少なくとも一つの検知対象物Ａの移動を検知することができる。
【００２０】
ハウジング５は、箱状のハウジング本体５ａと、ハウジング本体５ａの開口５ｃを塞ぐ矩形の蓋板部分５ｄを備えた蓋体５ｂとを有している。
ハウジング本体５ａは、略矩形の底壁８ａと、底壁８ａの外周部に沿って一連に矩形枠状に形成した側壁部分８ｂとを一体に備えた箱状に形成されている。
【００２１】
互いに平行に対向する一対の側壁部分８ｂどうしの間に、当該側壁部分８ｂに対して平行な仕切り壁８ｃを一体形成してハウジング本体５ａの内部を区画し、仕切り壁８ｃの両側に、第１スライダー４ａをスライド移動自在に収容する横長の第１収容空間９ａと、第２スライダー４ｂをスライド移動自在に収容する横長の第２収容空間９ｂとの二つの収容空間９が設けられている。
【００２２】
各収容空間９の長手方向一端側を塞ぐ側壁部分８ｂには、側壁部分８ｂの内外に亘る矩形の切欠１０が形成され、長手方向他端側を塞ぐ側壁部分８ｂの内側には、圧縮コイルスプリング６（６ａ，６ｂ）の外周部を受け止める円弧面状の受け面１１ａを備えたスプリング受け部１１が形成されている。
尚、図示しないが、蓋板部分５ｄの内側にも同様の受け面が受け面１１ａに対向するように形成されていて、圧縮コイルスプリング６の径方向の移動が規制されている。
【００２３】
スライダー４は、収容空間９内でスライド移動させる四角柱状のスライド部１２と、切欠１０を通してハウジング５の外部に出退させる四角柱状の出退部１３とを一体に備えている。
スライド部１２は出退部１３よりも大径の四角柱状に形成され、スライド部１２及び出退部１３の一側面が互いに面一になるように形成して段部１４が設けられている。
【００２４】
スライダー４は、段部１４と切欠１０が形成されている側壁部分８ｂとの接当により収容空間９から抜け止めされる状態で、仕切り壁８ｃを挟んで配置されている。
スライダー４は、スライド部１２と出退部１３との互いに面一に形成された一側面を仕切り壁８ｃに対向させて、当該仕切り壁８ｃの表裏夫々の壁面と、蓋板部分５ｄの内面とに沿って互いに平行にスライド移動自在に収容されている。
【００２５】
スライド部１２にはスライド方向に沿って長いスプリング装着穴１５が形成され、圧縮コイルスプリング６は、一端側をスプリング装着穴１５に挿入し、他端側をスプリング受け部１１で受け止めて圧縮変形状態で装着されている。
【００２６】
固定端子１は、導電性を備えた金属板を打ち抜き加工して、第１収容空間９ａに臨む第１固定接点１ａと、第２収容空間９ｂに臨む第２固定接点１ｂとの二つの固定接点１ａ，１ｂが底壁８ａの内底面に沿って配設されるように、ハウジング本体５ａにインサート成形してある。
【００２７】
ブラシ２は、図５に示すように、導電性を備えた金属板を打ち抜き加工して、固定部１６と、固定部１６から互いに平行に延出された一対の接点部１７とが一体形成され、固定部１６には複数の貫通孔１６ａが形成されている。
第１スライダー４ａと第２スライダー４ｂの夫々は、固定部１６の貫通孔１６ａにスライド部１２に形成した凸部１８を嵌め込んで、ブラシ２ａ，２ｂをスライド移動操作自在に溶着固定してある。
【００２８】
出力部７は、固定端子１の両端部の夫々から接続用のピン１９を互いに平行に延設し、これらのピン１９をハウジング本体５ａの外方に突出させて、直流電源（図示せず）に接続されたプラグ（図示せず）を接続できるように構成してある。
【００２９】
ハウジング本体５ａの外面側には、二つの固定用フランジ２０と、複数の係止爪２１と、出力部７のピン１９に接続するプラグ（図示せず）の受け口２２とが一体に突出形成されている。
【００３０】
固定用フランジ２０は、底壁８ａの外面と面一に形成され、ビス止め用の貫通孔２０ａを形成してある。
係止爪２１は、図４に示すように、ハウジング本体５ａの深さ方向に沿って長い形状に形成され、その上端側（開口５ｃの側）には、下端側（底壁８ａの側）ほど側壁部分８ｂの外面から離れるように傾斜する傾斜面２１ａを形成してある。
【００３１】
蓋体５ｂは、図２，図３に示すように、係止爪２１に係止させる複数の係止部材２３と、出力部７のピン１９が差し込まれたプラグの抜け止め用爪２４ａを備えた抜け止め部材２４とを備えている。
係止部材２３は、ハウジング本体５ａの深さ方向に沿って長い長孔部分２３ａを備えた枠状に形成されている。
【００３２】
係止部材２３は、先端部分を係止爪２１の傾斜面２１ａに押し付けて弾性変形させながら、係止爪２１を乗り越えるまで蓋体５ｂを押し込むことにより、係止爪２１を長孔部分２３ａに入り込ませて、蓋体５ｂをハウジング本体５ａに係止固定する。
【００３３】
図６は、第１スライダー４ａと第２スライダー４ｂの夫々が、二つの検知対象物Ａの一例としての遊技台における所定の閉じ位置に閉じた前面扉Ａ１と背面扉Ａ２とにより押し込まれて（図６（ａ））、二つの常閉型接点３が共にＯＮの状態に保持された状態（図６（ｂ））を示す。
この状態では固定端子１が導通状態に切り換えられているので、スイッチ回路Ｂに流れる所定レベルの電流を検出することができる。
【００３４】
図７は、前面扉Ａ１の開放操作に伴って第１スライダー４ａの押し込みが解除されて、第１スライダー４ａがハウジング５の外方に向けて突出移動し（図７（ａ））、常閉型接点３の一つがＯＦＦの状態に保持された状態（図７（ｂ））を示す。
この状態では固定端子１が非導通状態に切り換えられ、非導通状態に応じて信号としての所定レベル未満の電流が検出されるので、少なくとも何れか一つの扉が開放されたことを検知することができる。
【００３５】
尚、背面扉Ａ２の開放操作に伴って第２スライダー４ｂの押し込みが解除された場合も、前面扉Ａ１及び背面扉Ａ２の同時開放操作に伴って第１スライダー４ａ及び第２スライダー４ｂの押し込みが解除された場合も、同様に、少なくとも何れか一つの扉が開放されたことを検知することができる。
【００３６】
したがって、ブラシ２（２ａ，２ｂ）の夫々は、スライダー４（４ａ，４ｂ）が共に押し込み操作されるに伴う固定接点１ａ，１ｂに対する摺接移動により、固定端子１を導通状態に切り換え、かつ、少なくとも一方のスライダー４（４ａ，４ｂ）の押し込み解除操作で固定端子１を導通状態から非導通状態に切り換えるように設けられている。
【００３７】
〔第２実施形態〕
図８〜図１０は、本発明による移動検知スイッチの別実施形態を示す。
本実施形態では、図８に示すように、第１固定接点１ａと第２固定接点１ｂを並列に備えた固定端子１と、固定接点１ａ，１ｂの夫々をＯＮ／ＯＦＦ可能な可動接点を構成する第１ブラシ２ａと第２ブラシ２ｂの二つのブラシ（可動端子）２とを設けて、二つの検知対象物Ａの夫々による操作部材４（４ａ，４ｂ）の押し込み操作で開けられる二つの常開型接点３を備えたスイッチ回路Ｂを構成してある。
【００３８】
そして、検知対象物Ａの移動に伴う少なくとも一方の操作部材４の押し込み解除操作で何れかの常開型接点３が閉じられて固定端子１が導通状態に切り換えられ、その結果、一つの出力部７から出力される導通状態に応じた信号としての所定レベル以上の電流が検出されると、二つの検知対象物Ａの少なくとも一つが移動したことを検知できるように構成してある。
【００３９】
すなわち、図９に示すように、第１スライダー４ａと第２スライダー４ｂの夫々が、二つの検知対象物Ａの一例としての遊技台における所定の閉じ位置に閉じた前面扉Ａ１と背面扉Ａ２とにより共に押し込まれて、固定端子１が二つの常開型接点３が共にＯＦＦの状態に保持された非導通状態に切り換えられ、出力部７から出力される非導通状態に応じた信号としての所定レベル未満の電流を検出することができる。
【００４０】
そして、図１０に示すように、前面扉Ａ１の開放操作に伴って第１スライダー４ａの押し込み操作が解除されて、第１スライダー４ａがハウジング５の外方に向けて突出移動し、固定端子１が常開型接点３の一つがＯＮの状態に保持された導通状態に切り換えられ、出力部７から出力される導通状態に応じた信号としての所定レベルの電流を検出することができるので、少なくとも何れか一つの扉が開放されたことを検知することができる。
【００４１】
本実施形態においても、背面扉Ａ２の開放操作に伴って第２スライダー４ｂの押し込みが解除された場合も、前面扉Ａ１及び背面扉Ａ２の同時開放操作に伴って第１スライダー４ａ及び第２スライダー４ｂの押し込みが解除された場合も、同様に、少なくとも何れか一つの扉が開放されたことを検知することができる。
その他の構成は第１実施形態と同様である。
【００４２】
〔その他の実施形態〕
１．本発明による移動検知スイッチは、第２実施形態において、二つの常開型接点３を、一方の常開型接点３を閉じたときの電気抵抗と、他方の常開型接点３を閉じたときの電気抵抗とが互いに異なるように設けて、検出された電流値の違いに基づいて、いずれの常開型接点３が閉じられたのか、つまり、前面扉Ａ１と背面扉Ａ２の何れの扉が開放されたのか判別できるように構成してあってもよい。
２．本発明による移動検知スイッチは、出力部７に接続されたプラグを介して電気的に接続された表示ランプを、固定端子１の導通状態又は非導通状態に応じて点灯又は消灯させるものであってもよい。
【符号の説明】
【００４３】
１  固定端子
２  可動端子
４  操作部材
５  ハウジング
５ａ  ハウジング本体
５ｄ  蓋板部分
５ｃ  開口
５ｂ  蓋体
６  付勢部材
７  出力部
８ｃ  仕切り壁
Ａ  検知対象物
Ｂ  スイッチ回路
【図１】
0005614811.tif 000002
【図２】
0005614811.tif 000003
【図３】
0005614811.tif 000004
【図４】
0005614811.tif 000005
【図５】
0005614811.tif 000006
【図６】
0005614811.tif 000007
【図７】
0005614811.tif 000008
【図８】
0005614811.tif 000009
【図９】
0005614811.tif 000010
【図１０】
0005614811.tif 000011